(57)【要約】【課題】送電線事故時の試充電結果の当直員による判断を容易にすることができる試充電結果判別装置を提供する。【解決手段】試充電結果判別部５２は、メモリ５５に時系列順に格納されたＡ変電所およびＢ変電所遮断器「入」・「切」情報ＩAa，ＩBa、Ａ変電所およびＢ変電所事故種別情報ＩAc，ＩBc並びにＡ変電所およびＢ変電所装置動作情報ＩAd，ＩBdの中に試充電判別手順の各手順における判定基準を満たす情報が有るか否かを調べ、各手順における判定基準を満たす情報の有無により試充電の結果が「試充電成功」、「事故継続による最終遮断」、「新規事故による最終遮断」および「Ａ変電所遮断器不動作による最終遮断」のいずれであるかを判別する。【選択図】図１
2013201836.tif 000002
【特許請求の範囲】
【請求項１】
第１の変電所と第２の変電所との間に敷設された送電線において事故が発生したときに該第１の変電所で実施される試充電の結果を判別するための試充電結果判別装置（１０）であって、
前記送電線の前記第１の変電所側に設置された第１の遮断器（１２）から送信されてくる第１の変電所遮断器「入」・「切」情報（ＩAa）、前記第１の変電所に設置された第１の保護継電器（１４）から送信されてくる第１の変電所事故種別情報（ＩAc）並びに前記第１の変電所に設置された第１の自動復旧装置（１５）から送信されてくる第１の変電所装置動作情報（ＩAd）および前記送電線の前記第２の変電所側に設置された第２の遮断器（２２）から送信されてくる第２の変電所遮断器「入」・「切」情報（ＩBa）、前記第２の変電所に設置された第２の保護継電器（２４）から送信されてくる第２の変電所事故種別情報（ＩBc）並びに前記第２の変電所に設置された第２の自動復旧装置（２５）から送信されてくる第２の変電所装置動作情報（ＩBd）を時系列順に格納するためのメモリ（５５）と、
該メモリに時系列順に格納された前記第１および第２の変電所遮断器「入」・「切」情報、前記第１および第２の変電所事故種別情報並びに前記第１および第２の変電所装置動作情報の中に試充電判別手順の各手順における判定基準を満たす情報が有るか否かを調べ、該各手順における判定基準を満たす情報の有無により前記試充電の結果が「試充電成功」、「事故継続による最終遮断」、「新規事故による最終遮断」および「前記第１の遮断器不動作による最終遮断」のいずれであるかを判別するための試充電結果判別部（５２）と、
該試充電結果判別部における試充電判別結果を該試充電結果判別部の指示に従って外部の表示装置（４２）に表示させるための表示制御部（５３）と、
を具備することを特徴とする、試充電結果判別装置。
【請求項２】
前記試充電判別手順が、
最終遮断を示す第１の情報の有無を調べ、該第１の情報が無かった場合には、「試充電成功」と判別する第１のステップ（Ｓ１１，Ｓ１２）と、
前記第１の情報が有った場合には、前記最終遮断前に前記第１の遮断器が投入されていたことを示す第２の情報の有無を調べる第２のステップ（Ｓ１３）と、
前記第２の情報が有った場合には、前記最終遮断前に前記第１の遮断器が投入されたのちに前記第２の遮断器が投入されていたことを示す第３の情報の有無を調べる第３のステップ（Ｓ１４）と、
前記第３の情報が無かった場合には、前記最終遮断前に前記第１の遮断器１２が投入されたのちに前記送電線に事故が発生していたことを示す第４の情報の有無を調べる第４のステップ（Ｓ１５）と、
前記第４の情報が有った場合には、前記最終遮断前に前記第１の自動復旧装置が起動されていたことを示す第５の情報の有無を調べる第５のステップ（Ｓ１６）と、
前記第５の情報が有った場合には、前記最終遮断前に前記第１の遮断器が投入されたのちに前記送電線に事故が発生したのちに前記第１の遮断器が遮断されていたことを示す第６の情報の有無を調べ、該第６の情報が有った場合には「事故継続による最終遮断」と判別する第６のステップ（Ｓ１７，Ｓ１８）と、
前記第３のステップにおいて前記第３の情報が有った場合には、前記最終遮断前に前記第１および第２の遮断器が共に投入されたのちに前記送電線に事故が発生していたことを示す第７の情報の有無を調べる第７のステップ（Ｓ１９）と、
前記第７の情報が有った場合には、前記最終遮断前に前記第１および第２の自動復旧装置が共に起動されていたことを示す第８の情報の有無を調べる第８のステップ（Ｓ２０）と、
前記第８の情報が有った場合には、前記最終遮断前に前記第１および第２の遮断器が共に投入されたのちに前記送電線に事故が発生したのちに該第１および第２の遮断器が共に遮断されていたことを示す第９の情報の有無を調べ、該第９の情報が有った場合には「新規事故による最終遮断」と判別する第９のステップ（Ｓ２１，Ｓ２２）と、
前記第２のステップにおいて前記第２の情報が無かった場合には、前記最終遮断前に前記第１の自動復旧装置が起動されていたことを示す第１０の情報の有無を調べ、該第１０の情報が有った場合には「前記第１の遮断器不動作による最終遮断」と判別する第１０のステップ（Ｓ２３，Ｓ２４）と、
含むことを特徴とする、請求項１記載の試充電結果判別装置。
【請求項３】
前記表示制御部が、前記試充電結果判別部における前記試充電判別結果を前記表示装置に表示させる際に、前記第１乃至第１０の情報の中の該試充電判別結果の根拠とした情報も前記第１乃至第１０のステップ順に並べて該表示装置に表示させることを特徴とする、請求項２記載の試充電結果判別装置。
【請求項４】
前記表示制御部が、前記試充電結果判別部における前記試充電判別結果を前記表示装置に表示させる際に、前記メモリに格納された前記第１および第２の変電所遮断器「入」・「切」情報、前記第１および第２の変電所事故種別情報並びに前記第１および第２の変電所装置動作情報も時系列順に該表示装置に表示させることを特徴とする、請求項２記載の試充電結果判別装置。
【請求項５】
前記試充電結果判別部が「新規事故による最終遮断」と判別するか「前記第１の遮断器不動作による最終遮断」と判別すると、前記第１の遮断器を投入させて前記送電線の再試充電を実施するための遮断器投入信号出力部（５４）をさらに具備することを特徴とする、請求項１乃至４いずれかに記載の試充電結果判別装置。
【発明の詳細な説明】
【技術分野】
【０００１】
本発明は、試充電結果判別装置に関し、特に、送電線事故時の供給支障を迅速に解消するのに好適な試充電結果判別装置に関する。
【背景技術】
【０００２】
従来、電力会社では、たとえば図５に示すＡ変電所とＢ変電所との間に敷設された送電線に事故（地絡事故または短絡事故）が発生すると、Ａ変電所およびＢ変電所にそれぞれ設置された保護継電器１４，２４が、送電線のＡ変電所側およびＢ変電所側にそれぞれ設置された計器用変流器（ＣＴ）１１，２１からの事故電流に基づいて事故発生を検出して、送電線のＡ変電所側およびＢ変電所側にそれぞれ設置された遮断器（ＣＢ）１２，２２を遮断することにより、原因回線を切り離している。
また、Ａ変電所に設置された自動復旧装置（ＡＲＥ）１５は、遮断器１２から遮断器「切」信号が入力されると、数秒経過後に遮断器１２に遮断器「入」指令信号を出力して送電線の試充電を実施したのち、３分間の準備状態となる（次の事故に備えた準備時間であり、この準備時間中に新たな事故が発生しても自動復旧装置１５は遮断器「入」指令信号を出力しないため、自動復旧装置による最終遮断（ＦＴ）となる。）。
【０００３】
Ａ変電所の自動復旧装置１５による試充電が成功すると、Ｂ変電所に設置された充電判定装置２３から送電線「充電」情報がＢ変電所に設置された自動復旧装置２５に出力される。自動復旧装置２５は、充電判定装置２３から送電線「充電」情報が入力されると、数秒経過後に遮断器２２に遮断器「入」指令信号を出力して、遮断器２２を投入したのち、３分間の準備状態となる。
【０００４】
また、Ａ変電所の遮断器１２、充電判定装置１３、保護継電器１４および自動復旧装置１５は、Ａ変電所遮断器「入」・「切」情報ＩAa、Ａ変電所停電・充電情報ＩAb、Ａ変電所事故種別（地絡または短絡）情報ＩAcおよびＡ変電所装置動作情報ＩAd（図１参照）を遠隔監視制御装置（ＴＣ）１６（以下、「テレコン１６」と称する。）を介して制御中継所に設置された情報集配信装置（ＤＸ）３０にそれぞれ送信する。
同様に、Ｂ変電所に設置された遮断器２２、充電判定装置２３、保護継電器２４および自動復旧装置２５は、Ｂ変電所遮断器「入」・「切」情報ＩBa、Ｂ変電所停電・充電情報ＩBb、Ｂ変電所事故種別情報ＩBcおよびＢ変電所装置動作情報ＩBd（図１参照）を遠隔監視制御装置２６（以下、「テレコン２６」と称する。）を介して情報集配信装置３０にそれぞれ送信する。
【０００５】
情報集配信装置３０は、テレコン１６から送信されてきたＡ変電所遮断器「入」・「切」情報ＩAa、Ａ変電所停電・充電情報ＩAb、Ａ変電所事故種別情報ＩAcおよびＡ変電所装置動作情報ＩAdとテレコン２６から送信されてきたＢ変電所遮断器「入」・「切」情報ＩBa、Ｂ変電所停電・充電情報ＩBb、Ｂ変電所事故種別情報ＩBcおよびＢ変電所装置動作情報ＩBdとを制御所に設置された制御所システム４０に送信する。
【０００６】
制御所システム４０の受信・処理装置４１は、情報集配信装置３０からこれらの情報を受信すると、受信したこれらの情報をデータベース（ＤＢ）４３に格納するとともに時系列順に表示装置４２に表示する。
このとき、制御所システム４０には他の変電所（たとえばＣ変電所、Ｄ変電所およびＥ変電所）からも情報集配信装置３０を介して同様の情報が送信されてくるため、データベース４３にはＣ変電所、Ｄ変電所およびＥ変電所の情報も格納されるとともに、表示装置４２にはたとえば図６に示すようにＡ変電所およびＢ変電所の情報にＣ変電所、Ｄ変電所およびＥ変電所の情報も交じって時系列順に表示される。
【０００７】
そのため、制御所の当直員は、Ｃ変電所、Ｄ変電所およびＥ変電所の情報も交じって表示装置４２に表示されている情報の中からＡ変電所およびＢ変電所の情報を探して、図７（ａ）〜（ｄ）に示すようにＡ変電所およびＢ変電所の情報のみを時系列順に頭の中で並べて、Ａ変電所およびＢ変電所間の送電線における試充電結果（試充電成功か事故継続による最終遮断か新規事故発生による最終遮断かＡ変電所の遮断器不動作による最終遮断か）を確認するようにしている。
【０００８】
なお、本出願人は、下記の特許文献１において、系統状態を表す画面の送電線、母線および開閉器などの表示色やパターンをより詳細に表し、充停電操作の誤操作を禁止する画面上の表示機能を提供するために、電力系統の開閉器の入切状態、接地箇所および事故設備などを入力する手段と、電力系統情報に基づいて系統状態を判定する系統状態判定手段と、系統状態判定手段による判定結果に基づいて表示装置に系統線図や系統状態を出力する表示処理手段とを備え、表示処理手段が、系統線を電源系統識別可能に表示し、いずれかの電源系統に接続されて充電状態にある系統線は充電を表す第１の充電パターン表示とし、どの電源系統にも接続されていないが判定結果が充電中である系統線は単独電源を示す第２の充電パターンとするなど系統線に系統状態を集約して表示するようにした電力系統監視制御システムを提案している。
【先行技術文献】
【特許文献】
【０００９】
【特許文献１】特開２００９−１５３２７０号公報
【発明の概要】
【発明が解決しようとする課題】
【００１０】
しかしながら、上述したように、制御所システム４０の表示装置４２には、多数の変電所の情報が時系列順に表示されるため、当直員は、その中からＡ変電所およびＢ変電所の情報を選別するのに時間が掛るという問題があった。
【００１１】
また、事故継続による試充電不成功の場合には図７（ｂ）に示すように最終的には「9:12:23 Ａ変電所 送電線 ＡＲＥ最終遮断（ＦＴ）」となるが、自動復旧装置１５，２５の準備未完中に新たな事故が発生した場合にも同図（ｃ）に示すように最終的に「9:13:01 Ａ変電所 送電線 ＡＲＥ最終遮断（ＦＴ）」および「9:13:01 Ｂ変電所 送電線 ＡＲＥ最終遮断（ＦＴ）」となるとともに、自動復旧装置１５，２５が起動したもののＡ変電所の遮断機１２の不動作により試充電が行われなかった場合にも「9:13:01 Ａ変電所 送電線 ＡＲＥ最終遮断（ＦＴ）」となる。
そのため、当直員は、頭の中で並べたＡ変電所およびＢ変電所の情報が同図（ｂ）に示したものであれば、「最終遮断が発生した」→「事故継続か新たな事故の発生か？」→「Ａ変電所で試充電したのちに事故が発生した」→「事故継続による試充電不成功だ」→「お客さまの停電が継続しているため、他のルートから送電しよう」と判断し、頭の中で並べたＡ変電所およびＢ変電所の情報が同図（ｃ）に示したものであれば、「最終遮断が発生した」→「事故継続か新たな事故の発生か？」→「Ｂ変電所（相手端）の遮断器２２が入っている」→「新たな事故による試充電不成功（停電）だ」→「よし、Ａ変電所の遮断器１２を手動で入れて試充電しよう」と判断し、頭の中で並べたＡ変電所およびＢ変電所の情報が同図（ｄ）に示したものであれば、「最終遮断が発生した」→「事故継続か新たな事故の発生か？」→「Ａ変電所の遮断器１２が入っていない」→「Ａ変電所の遮断器１２の不動作による試充電不成功だ」→「よし、Ａ変電所の遮断器１２を手動で入れて試充電しよう」と判断しており、担当のＡ変電所における試充電結果が試充電不成功（事故継続による最終遮断）、新たな事故への試充電未実施（新規事故発生による最終遮断）および試充電未実施（Ａ変電所の遮断器不動作による最終遮断）のいずれであったかの判断を迷う結果、試充電未実施の場合には速やかに試充電を再度実施すれば早期に供給支障を解消することができるにもかかわらず、当直員による判断に時間が掛ってしまい、供給支障が長引くという問題があった。
【００１２】
ここで、制御所システム４０の受信・処理装置４１において、多数の変電所の情報の中からＡ変電所およびＢ変電所の情報のみを選別して、図８（ａ）〜（ｄ）に示すように時系列順に表示装置４２に表示させる手法も考えられるが、このような手法では、前者の問題（当直員がＡ変電所およびＢ変電所の情報を選別するのに時間が掛るという問題）は解決することができるが、後者の問題（当直員が判断に迷うという問題）は解決することができないという問題がある。
【００１３】
本発明の目的は、送電線事故時の試充電結果の当直員による判断を容易にすることができる試充電結果判別装置を提供することにある。
【課題を解決するための手段】
【００１４】
本発明の試充電結果判別装置は、第１の変電所と第２の変電所との間に敷設された送電線において事故が発生したときに該第１の変電所で実施される試充電の結果を判別するための試充電結果判別装置（１０）であって、前記送電線の前記第１の変電所側に設置された第１の遮断器（１２）から送信されてくる第１の変電所遮断器「入」・「切」情報（ＩAa）、前記第１の変電所に設置された第１の保護継電器（１４）から送信されてくる第１の変電所事故種別情報（ＩAc）並びに前記第１の変電所に設置された第１の自動復旧装置（１５）から送信されてくる第１の変電所装置動作情報（ＩAd）および前記送電線の前記第２の変電所側に設置された第２の遮断器（２２）から送信されてくる第２の変電所遮断器「入」・「切」情報（ＩBa）、前記第２の変電所に設置された第２の保護継電器（２４）から送信されてくる第２の変電所事故種別情報（ＩBc）並びに前記第２の変電所に設置された第２の自動復旧装置（２５）から送信されてくる第２の変電所装置動作情報（ＩBd）を時系列順に格納するためのメモリ（５５）と、該メモリに時系列順に格納された前記第１および第２の変電所遮断器「入」・「切」情報、前記第１および第２の変電所事故種別情報並びに前記第１および第２の変電所装置動作情報の中に試充電判別手順の各手順における判定基準を満たす情報が有るか否かを調べ、該各手順における判定基準を満たす情報の有無により前記試充電の結果が「試充電成功」、「事故継続による最終遮断」、「新規事故による最終遮断」および「前記第１の遮断器不動作による最終遮断」のいずれであるかを判別するための試充電結果判別部（５２）と、該試充電結果判別部における試充電判別結果を該試充電結果判別部の指示に従って外部の表示装置（４２）に表示させるための表示制御部（５３）とを具備することを特徴とする。
ここで、前記試充電判別手順が、最終遮断を示す第１の情報の有無を調べ、該第１の情報が無かった場合には、「試充電成功」と判別する第１のステップ（Ｓ１１，Ｓ１２）と、前記第１の情報が有った場合には、前記最終遮断前に前記第１の遮断器が投入されていたことを示す第２の情報の有無を調べる第２のステップ（Ｓ１３）と、前記第２の情報が有った場合には、前記最終遮断前に前記第１の遮断器が投入されたのちに前記第２の遮断器が投入されていたことを示す第３の情報の有無を調べる第３のステップ（Ｓ１４）と、前記第３の情報が無かった場合には、前記最終遮断前に前記第１の遮断器１２が投入されたのちに前記送電線に事故が発生していたことを示す第４の情報の有無を調べる第４のステップ（Ｓ１５）と、前記第４の情報が有った場合には、前記最終遮断前に前記第１の自動復旧装置が起動されていたことを示す第５の情報の有無を調べる第５のステップ（Ｓ１６）と、前記第５の情報が有った場合には、前記最終遮断前に前記第１の遮断器が投入されたのちに前記送電線に事故が発生したのちに前記第１の遮断器が遮断されていたことを示す第６の情報の有無を調べ、該第６の情報が有った場合には「事故継続による最終遮断」と判別する第６のステップ（Ｓ１７，Ｓ１８）と、前記第３のステップにおいて前記第３の情報が有った場合には、前記最終遮断前に前記第１および第２の遮断器が共に投入されたのちに前記送電線に事故が発生していたことを示す第７の情報の有無を調べる第７のステップ（Ｓ１９）と、前記第７の情報が有った場合には、前記最終遮断前に前記第１および第２の自動復旧装置が共に起動されていたことを示す第８の情報の有無を調べる第８のステップ（Ｓ２０）と、前記第８の情報が有った場合には、前記最終遮断前に前記第１および第２の遮断器が共に投入されたのちに前記送電線に事故が発生したのちに該第１および第２の遮断器が共に遮断されていたことを示す第９の情報の有無を調べ、該第９の情報が有った場合には「新規事故による最終遮断」と判別する第９のステップ（Ｓ２１，Ｓ２２）と、前記第２のステップにおいて前記第２の情報が無かった場合には、前記最終遮断前に前記第１の自動復旧装置が起動されていたことを示す第１０の情報の有無を調べ、該第１０の情報が有った場合には「前記第１の遮断器不動作による最終遮断」と判別する第１０のステップ（Ｓ２３，Ｓ２４）と含んでもよい。
前記表示制御部が、前記試充電結果判別部における前記試充電判別結果を前記表示装置に表示させる際に、前記第１乃至第１０の情報の中の該試充電判別結果の根拠とした情報も前記第１乃至第１０のステップ順に並べて該表示装置に表示させてもよい。
前記表示制御部が、前記試充電結果判別部における前記試充電判別結果を前記表示装置に表示させる際に、前記メモリに格納された前記第１および第２の変電所遮断器「入」・「切」情報、前記第１および第２の変電所事故種別情報並びに前記第１および第２の変電所装置動作情報も時系列順に該表示装置に表示させてもよい。
前記試充電結果判別部が「新規事故による最終遮断」と判別するか「前記第１の遮断器不動作による最終遮断」と判別すると、前記第１の遮断器を投入させて前記送電線の再試充電を実施するための遮断器投入信号出力部（５４）をさらに具備してもよい。
【発明の効果】
【００１５】
本発明の試充電結果判別装置は、以下に示す効果を奏する。
（１）メモリに時系列順に格納された第１および第２の変電所遮断器「入」・「切」情報、第１および第２の変電所事故種別情報並びに第１および第２の変電所装置動作情報の中に試充電判別手順の各手順における判定基準を満たす情報が有るか否かを試充電結果判別部に調べさせることにより、各手順における判定基準を満たす情報の有無により試充電の結果が「試充電成功」、「事故継続による最終遮断」、「新規事故による最終遮断」および「第１の遮断器不動作による最終遮断」のいずれであるかを試充電結果判別部に判別させることができるため、送電線事故時の試充電結果の当直員による判断を容易にすることができる。
（２）当直員の判断要素を減らして供給支障の迅速な解消を図ることができるとともにヒューマンエラーの防止を図ることができる。
（３）副次効果として、安定な電力供給による顧客満足度の向上を図ることができる。
【図面の簡単な説明】
【００１６】
【図１】本発明の一実施例による試充電結果判別装置５０の構成を示す図である。
【図２】図１に示した試充電結果判別部５２の動作について説明するためのフローチャートである。
【図３】図１に示した試充電結果判別装置５０による表示装置４２への表示の一例を示す図である。
【図４】図１に示した試充電結果判別装置５０による表示装置４２への表示の他の例を示す図である。
【図５】従来の試充電結果判別手法について説明するための各種装置の接続状態を示す図である。
【図６】図５に示した制御所システム４０の表示装置４２の表示画面の一例を示す図である。
【図７】従来の試充電結果判別手法の問題を説明するための図である。
【図８】図５に示した制御所システム４０の表示装置４２にＡ変電所およびＢ変電所の情報を選別して時系列順に表示した一例を示す図である。
【発明を実施するための形態】
【００１７】
上記の目的を、Ａ変電所およびＢ変電所から送信されてくるＡ変電所およびＢ変電所遮断器「入」・「切」情報、Ａ変電所およびＢ変電所事故種別情報並びにＡ変電所およびＢ変電所装置動作情報の中に試充電判別手順の各手順における判定基準を満たす情報が有るか否かを試充電結果判別部に調べさせ、各手順における判定基準を満たす情報の有無により試充電の結果が「試充電成功」、「事故継続による最終遮断」、「新規事故による最終遮断」および「Ａ変電所の遮断器不動作による最終遮断」のいずれであるかを試充電結果判別部に判別させることにより実現した。
【実施例１】
【００１８】
以下、本発明の試充電結果判別装置の実施例について図面を参照して説明する。
本発明の一実施例による試充電結果判別装置５０は、図５に示した制御所システム４０に内蔵されるものであって、図１に示すように、情報収集部５１と、試充電結果判別部５２と、表示制御部５３と、遮断器投入信号出力部５４と、メモリ５５とを具備する。
【００１９】
ここで、情報収集部５１は、試充電結果判別部５２からの情報収集指示信号に従って、データベース４３（図５参照）に格納されている多数の変電所の情報の中から、試充電結果判別に必要な情報（たとえば、Ａ変電所における試充電結果の判別を行う際には、Ａ変電所遮断器「入」・「切」情報ＩAa、Ａ変電所停電・充電情報ＩAb、Ａ変電所事故種別情報ＩAc、Ａ変電所装置動作情報ＩAd、Ｂ変電所遮断器「入」・「切」情報ＩBa、Ｂ変電所停電・充電情報ＩBb、Ｂ変電所事故種別情報ＩBcおよびＢ変電所装置動作情報ＩBd）を読み出してメモリ５５に時系列順に格納する。
また、情報収集部５１は、試充電結果判別に必要な情報をメモリ５５に格納すると、情報収集完了信号を試充電結果判別部５２に出力する。
【００２０】
試充電結果判別部５２は、たとえばＡ変電所における試充電結果の判別を指示する試充電結果判別指示信号が当直員によって入力装置（不図示）を用いて入力されると、以下に示すように動作する。
【００２１】
まず、試充電結果判別部５２は、「Ａ変電所」および「Ｂ変電所」をキーワードとしてＡ変電所およびＢ変電所間の送電線に事故が発生したときのＡ変電所における試充電結果判別に必要な情報をデータベース４３から読み出してメモリ５５に時系列順に格納するように指示する情報収集指示信号を情報収集部５１に出力する。
これにより、Ａ変電所遮断器「入」・「切」情報ＩAa、Ａ変電所停電・充電情報ＩAb、Ａ変電所事故種別情報ＩAc、Ａ変電所装置動作情報ＩAd、Ｂ変電所遮断器「入」・「切」情報ＩBa、Ｂ変電所停電・充電情報ＩBb、Ｂ変電所事故種別情報ＩBcおよびＢ変電所装置動作情報ＩBdがデータベース４３から読み出されてメモリ５５に時系列順に格納される。
【００２２】
試充電結果判別部５２は、情報収集部５１から情報収集完了信号が入力されると、メモリ５５を検索して、Ａ変電所およびＢ変電所における最終遮断を示す情報の有無を調べる（図２のステップＳ１１）。
【００２３】
その結果、このような情報が無かった場合には、試充電結果判別部５２は、「試充電成功」と判別するとともに（ステップＳ１２）、試充電判別結果を表示装置４２に表示するように表示制御部５３に指示する。
【００２４】
一方、このような情報が有った場合には、試充電結果判別部５２は、最終遮断前にＡ変電所の遮断器１２が投入されていたことを示す情報の有無を調べる（ステップＳ１３）。
【００２５】
その結果、このような情報が有った場合には、試充電結果判別部５２は、最終遮断前にＡ変電所の遮断器１２が投入されたのちにＢ変電所の遮断器２２が投入されていたことを示す情報の有無を調べる（ステップＳ１４）。
【００２６】
その結果、このような情報が無かった場合には、試充電結果判別部５２は、最終遮断前にＡ変電所の遮断器１２が投入されたのちにこの送電線に事故が発生していたことを示す情報の有無を調べる（ステップＳ１５）。
【００２７】
その結果、このような情報が有った場合には、試充電結果判別部５２は、最終遮断前にＡ変電所の自動復旧装置１５が起動されていたことを示す情報の有無を調べる（ステップＳ１６）。
【００２８】
その結果、このような情報が有った場合には、試充電結果判別部５２は、最終遮断前にＡ変電所の遮断器１２が投入されたのちにこの送電線に事故が発生し、さらにこの事故が発生したのちにＡ変電所の遮断器１２が遮断されていたことを示す情報の有無を調べる（ステップＳ１７）。
【００２９】
その結果、このような情報が有った場合には、試充電結果判別部５２は、「事故継続による最終遮断」と判別するとともに（ステップＳ１８）、試充電判別結果をその根拠とした情報と共に表示装置４２に表示するように表示制御部５３に指示する。
【００３０】
上述したステップＳ１４においてそのような情報が有った場合には、試充電結果判別部５２は、最終遮断前にＡ変電所およびＢ変電所の遮断器１２，２２が共に投入されたのちにこの送電線に事故が発生していたことを示す情報の有無を調べる（ステップＳ１９）。
【００３１】
その結果、このような情報が有った場合には、試充電結果判別部５２は、最終遮断前にＡ変電所およびＢ変電所の自動復旧装置１５，２５が共に起動されていたことを示す情報の有無を調べる（ステップＳ２０）。
【００３２】
その結果、このような情報が有った場合には、試充電結果判別部５２は、最終遮断前にＡ変電所およびＢ変電所の遮断器１２，２２が共に投入されたのちにこの送電線に事故が発生し、さらにこの事故が発生したのちにＡ変電所およびＢ変電所の遮断器１２，２２が共に遮断されていたことを示す情報の有無を調べる（ステップＳ２１）。
【００３３】
その結果、このような情報が有った場合には、試充電結果判別部５２は、「新規事故による最終遮断」と判別するとともに（ステップＳ２２）、試充電判別結果をその根拠とした情報と共に表示装置４２に表示するように表示制御部５３に指示する。
また、試充電結果判別部５２は、Ａ変電所の遮断器１２を投入して送電線の再試充電を実施するために、遮断器投入指示信号を遮断器投入信号出力部５４に出力する。
【００３４】
上述したステップＳ１３においてそのような情報が無かった場合には、試充電結果判別部５２は、最終遮断前にＡ変電所の自動復旧装置１５が起動されていたことを示す情報の有無を調べる（ステップＳ２３）。
【００３５】
その結果、このような情報が有った場合には、試充電結果判別部５２は、「Ａ変電所の遮断器１２不動作による最終遮断」と判別するとともに（ステップＳ２４）、試充電判別結果をその根拠とした情報と共に表示装置４２に表示するように表示制御部５３に指示する。
また、試充電結果判別部５２は、Ａ変電所の遮断器１２を投入して送電線の再試充電を実施するために、遮断器投入指示信号を遮断器投入信号出力部５４に出力する。
【００３６】
表示制御部５３は、試充電結果判別部５２の指示に従って試充電結果判別部５２における試充電判別結果およびその根拠とされた情報を表示装置４２に表示する。
【００３７】
遮断器投入信号出力部５４は、試充電結果判別部５２からの遮断器投入指示信号に応じて、遮断器投入指示信号をＡ変電所の遮断器１２に出力する。
【００３８】
次に、試充電結果判別部５２における試充電結果判別動作について、図５に示したＡ変電所およびＢ変電所間の送電線に地絡事故が９時１２分１０秒に発生した場合を例として詳細に説明する。
【００３９】
（１）試充電成功の場合
Ａ変電所およびＢ変電所間の送電線において地絡事故が９時１２分１０秒に発生すると、Ａ変電所およびＢ変電所の保護継電器１４，２４（図５参照）は、計器用変流器１１，２１からの事故電流に基づいて地絡事故発生を検出して遮断器１２，２２をそれぞれ遮断するとともに、「９時１２分１０秒に地絡事故が発生した」ことを示すＡ変電所事故種別情報ＩAcおよびＢ変電所事故種別情報ＩBcをテレコン１６，２６にそれぞれ送信する。
【００４０】
保護継電器１４，２４によって遮断器１２，２２が９時１２分１１秒にそれぞれ遮断されると、遮断器１２，２２は、遮断器「切」信号を自動復旧装置１５，２５にそれぞれ出力するとともに、「９時１２分１１秒に遮断器１２，２２が遮断された」ことを示すＡ変電所遮断器「入」・「切」情報ＩAaおよびＢ変電所遮断器「入」・「切」情報ＩBaをテレコン１６，２６にそれぞれ送信する。
【００４１】
Ａ変電所の自動復旧装置１５は、遮断器１２から遮断器「切」信号が入力されると起動して、約９秒経過後に遮断器１２に遮断器「入」指令信号を出力して送電線の試充電を実施するとともに、「自動復旧装置１５が起動した」ことを示すＡ変電所装置動作情報ＩAdをテレコン１６に送信する。
【００４２】
自動復旧装置１５によって遮断器１２が９時１２分２０秒に投入されると、遮断器１２は、「９時１２分２０秒に遮断器１２が投入された」ことを示すＡ変電所遮断器「入」・「切」情報ＩAaをテレコン１６に送信する。
【００４３】
自動復旧装置１５による試充電が成功すると、Ｂ変電所では、充電判定装置２３から送電線「充電」情報が自動復旧装置２５に出力されるため、自動復旧装置２５は約１０秒経過後に遮断器「入」指令信号を遮断器２２に出力して、遮断器２２を投入する。
【００４４】
自動復旧装置２５によって遮断器２２が９時１２分３０秒に投入されると、遮断器２２は、「９時１２分３０秒に遮断器１２が投入された」ことを示すＢ変電所遮断器「入」・「切」情報ＩBaをテレコン１６に送信する。
【００４５】
以上により、制御所システム４０のデータベース４３には図７（ａ）に示した情報が他の変電所の情報と共に格納されるため、その後に当直員によってＡ変電所における試充電結果の判別を指示する試充電結果判別指示信号が試充電結果判別部５２に入力されると、同図に示した情報が情報収集部５１によってデータベース４３から読み出されてメモリ５５に格納される。
【００４６】
その結果、メモリ５５に格納された情報には、Ａ変電所およびＢ変電所における最終遮断を示す情報は無いため（ステップＳ１１における判定がＮｏ）、試充電結果判定部５２は、試充電結果を確認するためのマージンとして３０秒程度を確保して（以下、同様。）、「9:13:00  試充電成功」と判別するとともに（ステップＳ１２）、試充電判別結果を表示装置４２に表示するように表示制御部５３に指示する。
これにより、表示装置４２には、図３（ａ）に示すように、試充電判別結果「9:13:00  試充電成功」のみが表示されるため、当直員は、試充電が成功したことを容易に認識することができる。
【００４７】
（２）事故継続による最終遮断の場合
Ａ変電所およびＢ変電所間の送電線において地絡事故が９時１２分１０秒に発生すると、Ａ変電所およびＢ変電所の保護継電器１４，２４は、計器用変流器１１，２１からの事故電流に基づいて地絡事故発生を検出して遮断器１２，２２をそれぞれ遮断するとともに、「９時１２分１０秒に地絡事故が発生した」ことを示すＡ変電所事故種別情報ＩAcおよびＢ変電所事故種別情報ＩBcをテレコン１６，２６にそれぞれ送信する。
【００４８】
保護継電器１４，２４によって遮断器１２，２２が９時１２分１１秒にそれぞれ遮断されると、遮断器１２，２２は、遮断器「切」信号を自動復旧装置１５，２５にそれぞれ出力するとともに、「９時１２分１１秒に遮断器１２，２２が遮断された」ことを示すＡ変電所遮断器「入」・「切」情報ＩAaおよびＢ変電所遮断器「入」・「切」情報ＩBaをテレコン１６，２６にそれぞれ送信する。
【００４９】
Ａ変電所の自動復旧装置１５は、遮断器１２から遮断器「切」信号が入力されると起動して、約９秒経過後に遮断器１２に遮断器「入」指令信号を出力して送電線の試充電を実施するとともに、「９時１２分１１秒に自動復旧装置１５が起動した」ことを示すＡ変電所装置動作情報ＩAdをテレコン１６に送信する。
【００５０】
自動復旧装置１５によって遮断器１２が９時１２分２０秒に投入されると、遮断器１２は、「９時１２分２０秒に遮断器１２が投入された」ことを示すＡ変電所遮断器「入」・「切」情報ＩAaをテレコン１６に送信する。
【００５１】
地絡事故が継続していると、計器用変流器１１からの事故電流が２秒間以上流れるため、Ａ変電所の保護継電器１４は、地絡事故発生を再度検出して遮断器１２を遮断するとともに、「９時１２分２２秒に地絡事故が発生した」ことを示すＡ変電所事故種別情報ＩAcをテレコン１６に送信する。
【００５２】
保護継電器１４によって遮断器１２が９時１２分２３秒に遮断されると、遮断器１２は、遮断器「切」信号を自動復旧装置１５に出力するとともに、「９時１２分２３秒に遮断器１２が遮断された」ことを示すＡ変電所遮断器「入」・「切」情報ＩAaをテレコン１６に送信する。
【００５３】
自動復旧装置１５は、遮断器１２から遮断器「切」信号が入力されると、「９時１２分２３秒に遮断器１２を最終遮断した」ことを示すＡ変電所装置動作情報ＩAdをテレコン１６に送信する。
【００５４】
以上により、制御所システム４０のデータベース４３には図７（ｂ）に示した情報が他の変電所の情報と共に格納されるため、その後に当直員によってＡ変電所における試充電結果の判別を指示する試充電結果判別指示信号が試充電結果判別部５２に入力されると、同図に示した情報が情報収集部５１によってデータベース４３から読み出されてメモリ５５に格納される。
【００５５】
その結果、メモリ５５に格納された情報には、「９時１２分２３秒に遮断器１２が最終遮断した」ことを示すＡ変電所装置動作情報ＩAdが有り（ステップＳ１１における判定がＹｅｓ）、「９時１２分２０秒に遮断器１２が投入された」ことを示すＡ変電所遮断器「入」・「切」情報ＩAaが有り（ステップＳ１３における判定がＹｅｓ）、９時１２分２０秒以降に「遮断器２２が投入された」ことを示すＢ変電所遮断器「入」・「切」情報ＩBaが無く（ステップＳ１４における判定がＮｏ）、「９時１２分２２秒に地絡事故が発生した」ことを示すＡ変電所事故種別情報ＩAcが有り（ステップＳ１５における判定がＹｅｓ）、「９時１２分１１秒に自動復旧装置１５が起動した」ことを示すＡ変電所装置動作情報ＩAdが有るとともに（ステップＳ１６における判定がＹｅｓ）、「９時１２分２３秒に遮断器１２が遮断された」ことを示すＡ変電所遮断器「入」・「切」情報ＩAaが有るため（ステップＳ１７における判定がＹｅｓ）、試充電結果判別部５２は、「事故継続による最終遮断」と判別するとともに（ステップＳ１８）、試充電判別結果およびその基になった情報を判定順に表示装置４２に表示するように表示制御部５３に指示する。
これにより、表示装置４２には、図３（ｂ）に示すように、ステップＳ１１，Ｓ１３，Ｓ１５〜Ａ１７の判定の基になった情報が時系列順ではなく判定順に表示されたのちに試充電判別結果「9:12:52  Ａ変電所最終遮断」が表示されるため、当直員は、事故継続による最終遮断であることを容易に認識することができる。
【００５６】
（３）新規事故による最終遮断の場合
Ａ変電所およびＢ変電所間の送電線において地絡事故が９時１２分１０秒に発生すると、Ａ変電所およびＢ変電所の保護継電器１４，２４は、計器用変流器１１，２１からの事故電流に基づいて地絡事故発生を検出して遮断器１２，２２をそれぞれ遮断するとともに、「９時１２分１０秒に地絡事故が発生した」ことを示すＡ変電所事故種別情報ＩAcおよびＢ変電所事故種別情報ＩBcをテレコン１６，２６にそれぞれ送信する。
【００５７】
保護継電器１４，２４によって遮断器１２，２２が９時１２分１１秒にそれぞれ遮断されると、遮断器１２，２２は、遮断器「切」信号を自動復旧装置１５，２５にそれぞれ出力するとともに、「９時１２分１１秒に遮断器１２，２２が遮断された」ことを示すＡ変電所遮断器「入」・「切」情報ＩAaおよびＢ変電所遮断器「入」・「切」情報ＩBaをテレコン１６，２６にそれぞれ送信する。
【００５８】
Ａ変電所の自動復旧装置１５は、遮断器１２から遮断器「切」信号が入力されると起動して、約９秒経過後に遮断器１２に遮断器「入」指令信号を出力して送電線の試充電を実施するとともに、「９時１２分１１秒に自動復旧装置１５が起動した」ことを示すＡ変電所装置動作情報ＩAdをテレコン１６に送信する。
【００５９】
自動復旧装置１５によって遮断器１２が９時１２分２０秒に投入されると、遮断器１２は、「９時１２分２０秒に遮断器１２が投入された」ことを示すＡ変電所遮断器「入」・「切」情報ＩAaをテレコン１６に送信する。
【００６０】
このとき短絡事故が解消していると、Ｂ変電所の充電判定装置２３から送電線「充電」情報がＢ変電所の自動復旧装置２５に出力されるため、自動復旧装置２５は、約５秒経過後に遮断器１２に遮断器「入」指令信号を出力するとともに、「９時１２分２０秒に自動復旧装置２５が起動した」ことを示すＢ変電所装置動作情報ＩBdをテレコン２６に送信する。
【００６１】
自動復旧装置２５によって遮断器２２が９時１２分２５秒に投入されると、遮断器２２は、「９時１２分２５秒に遮断器２２が投入された」ことを示すＢ変電所遮断器「入」・「切」情報ＩBaをテレコン２６に送信する。
【００６２】
その後、Ａ変電所およびＢ変電所間の送電線において新たな地絡事故が９時１３分００秒に発生すると、Ａ変電所およびＢ変電所の保護継電器１４，２４は、計器用変流器１１，２１からの事故電流に基づいて新たな地絡事故発生を検出して遮断器１２，２２をそれぞれ遮断するとともに、「９時１３分００秒に地絡事故が発生した」ことを示すＡ変電所事故種別情報ＩAcおよびＢ変電所事故種別情報ＩBcをテレコン１６，２６にそれぞれ送信する。
【００６３】
保護継電器１４，２４によって遮断器１２，２２が９時１３分０１秒にそれぞれ遮断されると、遮断器１２，２２は、遮断器「切」信号を自動復旧装置１５，２５にそれぞれ出力するとともに、「９時１３分０１秒に遮断器１２，２２が遮断された」ことを示すＡ変電所遮断器「入」・「切」情報ＩAaおよびＢ変電所遮断器「入」・「切」情報ＩBaをテレコン１６，２６にそれぞれ送信する。
【００６４】
自動復旧装置１５，２５は、遮断器１２，２２から遮断器「切」信号が入力されると、「９時１３分０１秒に遮断器１２，２２を最終遮断した」ことを示すＡ変電所装置動作情報ＩAdおよびＢ変電所装置動作情報ＩBdをテレコン１６，２６にそれぞれ送信する。
【００６５】
以上により、制御所システム４０のデータベース４３には図７（ｃ）に示した情報が他の変電所の情報と共に格納されるため、その後に当直員によってＡ変電所における試充電結果の判別を指示する試充電結果判別指示信号が試充電結果判別部５２に入力されると、同図に示した情報が試充電結果判定装置５０の情報収集部５１によってデータベース４３から読み出されてメモリ５５に格納される。
【００６６】
その結果、メモリ５５に格納された情報には、「９時１３分０１秒に遮断器１２，１３が最終遮断した」ことを示すＡ変電所装置動作情報ＩAdおよびＢ変電所装置動作情報ＩBdが有り（ステップＳ１１における判定がＹｅｓ）、「９時１２分２０秒に遮断器１２が投入された」ことを示すＡ変電所遮断器「入」・「切」情報ＩAaが有り（ステップＳ１３における判定がＹｅｓ）、「９時１２分２５秒に遮断器２２が投入された」ことを示すＢ変電所遮断器「入」・「切」情報ＩBaが有り（ステップＳ１４における判定がＹｅｓ）、「９時１３分００秒に地絡事故が発生した」ことを示すＡ変電所事故種別情報ＩAcおよびＢ変電所事故種別情報ＩBcが有り（ステップＳ１９における判定がＹｅｓ）、「９時１２分１１秒に自動復旧装置１５が起動した」ことを示すＡ変電所装置動作情報ＩAdおよび「９時１２分２０秒に自動復旧装置２５が起動した」ことを示すＢ変電所装置動作情報ＩBdが有るとともに（ステップＳ２０における判定がＹｅｓ）、「９時１３分０１秒に遮断器１２が遮断された」ことを示すＡ変電所遮断器「入」・「切」情報ＩAaおよび「９時１３分０１秒に遮断器２２が遮断された」ことを示すＢ変電所遮断器「入」・「切」情報ＩBaが有るため（ステップＳ２１における判定がＹｅｓ）、試充電結果判別部５２は、「新規事故による最終遮断」と判別するとともに（ステップＳ２２）、試充電判別結果およびその基になった情報を判定順に表示装置４２に表示するように表示制御部５３に指示する。
これにより、表示装置４２には、図３（ｃ）に示すように、ステップＳ１１，Ｓ１３，Ｓ１４，Ｓ１９〜Ａ２１の判定の基になった情報が時系列順ではなく判定順に表示されたのちに試充電判別結果「9:13:30 Ａ変電所 送電線新規事故（試充電未実施）」が表示されるため、当直員は、新規事故継続による最終遮断であることを容易に認識することができる。
【００６７】
また、試充電結果判別部５２は、遮断器１２を投入して送電線の再試充電を実施するために、遮断器投入指示信号を遮断器投入信号出力部５４に出力する。遮断器投入信号出力部５４は、遮断器投入指示信号に応じて、遮断器投入信号を遮断器１２に出力する。
これにより、当直員が遮断器１２を手動で投入して送電線の再試充電を実施する手間を省くことができる。
【００６８】
（４）遮断器１５不動作による最終遮断の場合
Ａ変電所およびＢ変電所間の送電線において地絡事故が９時１２分１０秒に発生すると、Ａ変電所およびＢ変電所の保護継電器１４，２４は、計器用変流器１１，２１からの事故電流に基づいて地絡事故発生を検出して遮断器１２，２２をそれぞれ遮断するとともに、「９時１２分１０秒に地絡事故が発生した」ことを示すＡ変電所事故種別情報ＩAcおよびＢ変電所事故種別情報ＩBcをテレコン１６，２６にそれぞれ送信する。
【００６９】
保護継電器１４，２４によって遮断器１２，２２が９時１２分１１秒にそれぞれ遮断されると、遮断器１２，２２は、遮断器「切」信号を自動復旧装置１５，２５にそれぞれ出力するとともに、「９時１２分１１秒に遮断器１２，２２が遮断された」ことを示すＡ変電所遮断器「入」・「切」情報ＩAaおよびＢ変電所遮断器「入」・「切」情報ＩBaをテレコン１６，２６にそれぞれ送信する。
【００７０】
Ａ変電所の自動復旧装置１５は、遮断器１２から遮断器「切」信号が入力されると起動して、約９秒経過後に遮断器１２に遮断器「入」指令信号を出力して送電線の試充電を実施するとともに、「９時１２分１１秒に自動復旧装置１５が起動した」ことを示すＡ変電所装置動作情報ＩAdをテレコン１６に送信する。
【００７１】
このとき遮断器１２が遮断されたままであると、Ａ変電所の自動復旧装置１５は、遮断器１２から遮断器「入」信号がいつまでも入力されないため、「９時１３分０１秒に遮断器１２を最終遮断した」ことを示すＡ変電所装置動作情報ＩAdをテレコン１６に送信する。
【００７２】
以上により、制御所システム４０のデータベース４３には図７（ｄ）に示した情報が他の変電所の情報と共に格納されるため、その後に当直員によってＡ変電所における試充電結果の判別を指示する試充電結果判別指示信号が試充電結果判別部５２に入力されると、同図に示した情報が試充電結果判定装置５０の情報収集部５１によってデータベース４３から読み出されてメモリ５５に格納される。
【００７３】
その結果、メモリ５５に格納された情報には、「９時１３分０１秒に遮断器１２を最終遮断した」ことを示すＡ変電所装置動作情報ＩAdが有り（ステップＳ１１における判定がＹｅｓ）、９時１３分０１秒以前に「遮断器１２が投入された」ことを示すＡ変電所遮断器「入」・「切」情報ＩAaが無いとともに（ステップＳ１３における判定がＮｏ）、「９時１２分１１秒に自動復旧装置１５が起動した」ことを示すＡ変電所装置動作情報ＩAdが有るため（ステップＳ２３における判定がＹｅｓ）、試充電結果判別部５２は、「遮断器１２不動作による最終遮断」と判別するとともに（ステップＳ２４）、試充電判別結果およびその基になった情報を判定順に表示装置４２に表示するように表示制御部５３に指示する。
これにより、表示装置４２には、図３（ｄ）に示すように、ステップＳ１１，Ｓ１３，Ｓ２３の判定の基になった情報が時系列順ではなく判定順に表示されたのちに試充電判別結果「9:13:30  Ａ変電所  送電線試充電未実施」が表示されるため、当直員は、遮断器１２不動作による最終遮断であることを容易に認識することができる。
【００７４】
また、試充電結果判別部５２は、遮断器１２を投入して送電線の再試充電を実施するために、遮断器投入指示信号を遮断器投入信号出力部５４に出力する。遮断器投入信号出力部５４は、遮断器投入指示信号に応じて、遮断器投入信号を遮断器１２に出力する。
これにより、当直員が遮断器１２を手動で投入して送電線の再試充電を実施する手間を省くことができる。
【００７５】
なお、当直員がＡ変電所およびＢ変電所間の送電線における事故発生からの状況を時系列で確認するために、図４（ａ）〜（ｄ）に示すように、メモリ５５に格納されている情報を時系列に並べて表示したのちに試充電結果判定部５２における試充電判別結果を表示してもよい。この場合にも、最終行に試充電結果判定部５２における試充電判別結果が表示されるため、当直員は試充電結果を容易に判断することができる。
【符号の説明】
【００７６】
１１，２１  計器用変流器
１２，２２  遮断器
１３，２３  充電判定装置
１４，２４  保護継電器
１５，２５  自動復旧装置
１６，２６  テレコン
３０  情報集配信装置
４０  制御所システム
４１  受信・処理装置
４２  表示装置
４３  データベース
５０  試充電結果判別装置
５１  情報収集部
５２  試充電結果判別部
５３  表示制御部
５４  遮断器投入信号出力部
５５  メモリ
ＩAa  Ａ変電所遮断器「入」・「切」情報
ＩAb  Ａ変電所停電・充電情報
ＩAc  Ａ変電所事故種別情報
ＩAd  Ａ変電所装置動作情報
ＩBa  Ｂ変電所遮断器「入」・「切」情報
ＩBb  Ｂ変電所停電・充電情報
ＩBc  Ｂ変電所事故種別情報
ＩBd  Ｂ変電所装置動作情報
Ｓ１１〜Ｓ２４  ステップ
【図１】
2013201836.tif 000003
【図２】
2013201836.tif 000004
【図３】
2013201836.tif 000005
【図４】
2013201836.tif 000006
【図５】
2013201836.tif 000007
【図６】
2013201836.tif 000008
【図７】
2013201836.tif 000009
【図８】
2013201836.tif 000010